(57)【要約】      （修正有）【課題】外科手術ステープル留め装置を提供する。【解決手段】外科手術ステープル留め装置１０であって、チップアセンブリと、ステープルカートリッジ本体１４と、支持プレートと、顎部材とを有するツールアセンブリ１０４を含み、チップアセンブリは、顎のコネクターアセンブリとの整列および接続を容易にする第１の突起を有し、チップアセンブリは、ステープルカートリッジ本体における凹部の中に受け取られる第２の突起を有し、コネクターアセンブリおよびチップアセンブリは、それらの間に電気的接続を有する、外科手術ステープル留め装置。【選択図】図１
2020124524.tif 000002
【特許請求の範囲】
【請求項１】
本明細書に記載の発明。
【発明の詳細な説明】
【技術分野】
【０００１】
関連出願への相互参照
本願は、２０１５年２月２６日に出願された米国仮特許出願第６２／１２１，０４９号の利益、および上記米国仮特許出願に対する優先権を主張し、その内容は、本明細書中でその全体が参考として援用される。
【０００２】
背景
技術分野
本開示は、関節運動ツールアセンブリを有する外科手術装置に関する。より詳しくは、本開示は、改善されたカートリッジアセンブリとツールアセンブリとを含む外科手術装置に関する。
【背景技術】
【０００３】
関連技術の背景
組織において動作するための外科手術装置は、当該分野において周知であり、代表的に、動力式ハンドルアセンブリと、ハンドルアセンブリから遠位方向に延びている本体部分と、本体部分の遠位端において支持され、本体部分に対して関節運動可能であるツールアセンブリとを含む。ツールアセンブリは、第１の顎と第２の顎とを含み、第１の顎および第２の顎は、接近されていない位置と接近された位置との間で互いに対して移動可能である。外科手術ステープル留め装置において、第１の顎は、アンビルアセンブリを支持し、第２の顎は、カートリッジアセンブリを支持している。カートリッジアセンブリは、外科手術手順中、ツールアセンブリの再使用を可能にするために交換可能であり得る。交換可能なカートリッジアセンブリは、異なる特性（すなわち、厚さ、密度）を有する組織における使用のために、多様な構成で提供され得る。例えば、異なるカートリッジアセンブリは、異なるサイズのステープルを有し得、および／またはステープルは、異なる構成で配置され得る。
【０００４】
多くのカートリッジアセンブリは、識別チップを含み、この識別チップは、ハンドルアセンブリが、取り付けられたカートリッジアセンブリと動作するようにプログラムされていることを確実にするために、外科手術ステープル留め装置の本体部分を通って延びているコンダクターによってハンドルアセンブリに電気的に結合される。外科手術ステープル留め装置へのカートリッジアセンブリの取り付け中、カートリッジアセンブリの誤った装填は、カートリッジアセンブリと外科手術ステープル留め装置との間の電気的接続への損傷をもたらし得る。カートリッジアセンブリの装填中、および外科手術ステープル留め装置の使用中の電気的接続への損傷を防止するために、改善された電気的接続を有するカートリッジアセンブリを提供することは有益である。
【発明の概要】
【課題を解決するための手段】
【０００５】
概要
従って、ひずみリリーフを有する電気コンダクターを含む外科手術装置が提供される。外科手術装置は、近位端と遠位端とを有する本体部分を含み、近位端において支持されている接続アセンブリを含む。外科手術装置は、本体部分の遠位端において支持されているツールアセンブリをさらに含み、このツールアセンブリは、本体部分に対して関節運動可能であり、ツールアセンブリは、識別アセンブリを含む。さらに、外科手術装置は、接続アセンブリから識別アセンブリに延びている電気コンダクターを含む。電気コンダクターは、本体部分に対するツールアセンブリの関節運動に適応するためのひずみリリーフ部分を含む。
【０００６】
複数の実施形態において、ひずみリリーフ部分は、複数のコイルを含む。複数のコイルの高さは、複数のコイルの近位部分から複数のコイルの遠位部分に減少し得る。あるいは、複数のコイルの高さは、複数のコイルの近位部分から遠位部分まで均一である。複数のコイルは、互いに対して等しく間隔を置かれ得る。
【０００７】
いくつかの実施形態において、本体部分は、電気コンダクターを受け取るためのチャネルを規定する。チャネルは、電気コンダクターのひずみリリーフ部分を受け取るための中央部分を含み得る。外科手術装置は、動力式ハンドルアセンブリを含み得、電気コンダクターは、識別アセンブリをハンドルアセンブリに電気的に結合する。ツールアセンブリは、ステープル留めアセンブリを含み得る。ステープル留めアセンブリは、取り外し可能なカートリッジアセンブリを含み得る。電気コンダクターは、可撓性ケーブルを含み得る。可撓性ケーブルは、近位部分と遠位部分とを含み得る。可撓性ケーブルの近位部分は、例えば、接着剤を用いて、本体部分に軸方向に付着され得る。
【０００８】
複数の実施形態において、ひずみリリーフ部分は、電気コンダクターを長くすることを可能にするように構成されている。代替的に、または追加的に、ひずみリリーフ部分は、電気コンダクターを短くすることを可能にするように構成されている。本体部分、ツールアセンブリ、および電気コンダクターは、動力式ハンドルアセンブリに解放可能に結合されるように構成されているローディングユニットを形成し得る。
【０００９】
ローディングユニットは、顎部材と、顎部材内に選択可能に受け取り可能であるカートリッジアセンブリとを含み得る。識別アセンブリは、顎部材内に配置されているコネクターアセンブリと、カートリッジアセンブリ内に配置されているチップアセンブリとを含み得る。顎部材内へのカートリッジアセンブリの装填は、コネクターアセンブリとのチップアセンブリの係合をもたらし得る。電気コンダクターは、その近位端に一体的に形成されているコネクター部材を含み得る。電気コンダクターは、電気コンダクターに取り付けられている補強された部分を含み得る。
【００１０】
さらなる局面において、外科手術ステープル留め装置は、チップアセンブリと、ステープルカートリッジ本体と、支持プレートと、顎部材とを有するツールアセンブリを含み、チップアセンブリは、顎部材のコネクターアセンブリとの整列および接続を容易にする第１の突起を有し、チップアセンブリは、ステープルカートリッジ本体における凹部の中に受け取られる第２の突起を有し、コネクターアセンブリおよびチップアセンブリは、それらの間に電気的接続を有する。
【００１１】
ステープルカートリッジ本体、支持プレート、およびチップアセンブリは、取り外し可能で交換可能なユニットを形成し得る。装置は、接続アセンブリを含む本体部分を有するローディングユニットであり得、この接続アセンブリは、本体部分の近位端において支持されている。接続アセンブリは、アダプターアセンブリとの電気的接続を形成し得る。
【００１２】
顎は、側方に延びているレールを含み得る。チップアセンブリは、第３の突起を有し得、この第３の突起は、チップアセンブリ、ステープルカートリッジ本体、または両方の垂直移動を防止するために、レールとインターフェイス接続している。ステープルカートリッジ本体の一部分は、近位方向に延び得、レールの下に配置されるように構成され得る。
【００１３】
第２の突起は、支持プレート上のタブを受け取るための切欠きを規定し得る。ステープルカートリッジ本体は、ステープルカートリッジ本体の側面から延びている少なくとも１つのタブを有する。ステープルカートリッジ本体の少なくとも１つのタブは、長さを有し、少なくとも１つのタブの長さは、ステープルカートリッジ本体によって規定されるステープル線の長さを示すものであり得る。
【００１４】
さらなる局面において、取り外し可能で交換可能なステープルカートリッジアセンブリは、ステープルカートリッジアセンブリの組織接触表面に重なっているシッピングウェッジを有し、シッピングウェッジは、カートリッジ解放突出部を含む。ステープルカートリッジ本体は、シッピングウェッジがステープルカートリッジアセンブリに取り付けられている場合、ステープラー顎の遠位端に隣接して配置されている凹部を規定し得る。凹部の中への突起の挿入は、ステープルカートリッジ本体をステープラー顎から解放するために使用され得る。
【００１５】
シッピングウェッジは、ステープルカートリッジアセンブリがステープラーの中に挿入された後、ステープルカートリッジアセンブリとのステープラーアンビルの接近を防止するために、その近位端において高くなった部分を有し得る。
本発明は、例えば以下の項目を提供する。
（項目１）
外科手術ステープル留め装置であって、
チップアセンブリと、ステープルカートリッジ本体と、支持プレートと、顎部材とを有するツールアセンブリ
を含み、該チップアセンブリは、該顎のコネクターアセンブリとの整列および接続を容易にする第１の突起を有し、該チップアセンブリは、該ステープルカートリッジ本体における凹部の中に受け取られる第２の突起を有し、該コネクターアセンブリおよび該チップアセンブリは、それらの間に電気的接続を有する、外科手術ステープル留め装置。
（項目２）
上記ステープルカートリッジ本体、上記支持プレート、および上記チップアセンブリは、取り外し可能で交換可能なユニットを形成している、上記項目に記載の外科手術ステープル留め装置。
（項目３）
上記装置は、接続アセンブリを含む本体部分を有するローディングユニットであり、該接続アセンブリは、該本体部分の近位端において支持されている、上記項目のうちのいずれか一項に記載の外科手術ステープル留め装置。
（項目４）
上記接続アセンブリは、アダプターアセンブリとの電気的接続を形成している、上記項目のうちのいずれか一項に記載の外科手術ステープル留め装置。
（項目５）
上記顎は、側方に延びているレールを含む、上記項目のうちのいずれか一項に記載の外科手術ステープル留め装置。
（項目６）
上記チップアセンブリは、第３の突起を有し、該第３の突起は、該チップアセンブリまたは上記ステープルカートリッジ本体のうちの少なくとも１つの垂直移動を防止するために、上記レールとインターフェイス接続している、上記項目のうちのいずれか一項に記載の外科手術ステープル留め装置。
（項目７）
上記ステープルカートリッジ本体の一部分は、近位方向に延びており、上記レールの下に配置されるように構成されている、上記項目のうちのいずれか一項に記載の外科手術ステープル留め装置。
（項目８）
上記第２の突起は、上記支持プレート上のタブを受け取るための切欠きを規定する、上記項目のうちのいずれか一項に記載の外科手術ステープル留め装置。
（項目９）
上記ステープルカートリッジ本体は、該ステープルカートリッジ本体の側面から延びている少なくとも１つのタブを有する、上記項目のうちのいずれか一項に記載の外科手術ステープル留め装置。
（項目１０）
上記少なくとも１つのタブは、長さを有し、該少なくとも１つのタブの該長さは、上記ステープルカートリッジ本体によって規定されるステープル線の長さを示すものである、上記項目のうちのいずれか一項に記載の外科手術ステープル留め装置。
（摘要）
ツールアセンブリを含む外科手術装置が提供される。ツールアセンブリは、チップアセンブリと、ステープルカートリッジ本体と、支持プレートと、顎部材とを含む。チップアセンブリは、顎のコネクターアセンブリとの整列および接続を容易にする第１の突起を含む。チップアセンブリは、ステープルカートリッジ本体における凹部の中に受け取られる第２の突起をさらに含む。コネクターアセンブリおよびチップアセンブリは、それらの間に電気的接続を含む。
【００１６】
本開示の様々な実施形態は、図面を参照して本明細書中に記載される。
【図面の簡単な説明】
【００１７】
【図１】図１は、接近された位置におけるツールアセンブリを含む本開示の外科手術ステープル留め装置の実施形態の側面斜視図である。
【図２】図２は、図１に示される外科手術ステープル留め装置の使い捨てローディングユニットの側面斜視図である。
【図３】図３は、部品が分離されている、図２に示されるローディングユニットの側面斜視図である。
【図４】図４は、部品が分離されている、図２に示されるローディングユニットの取り付けアセンブリおよび発射ロックアウトアセンブリの拡大された側面斜視底面図である。
【図５】図５は、図２に示される、示された詳細領域の側面斜視図である。
【図６】図６は、図２に示されるローディングユニットの近位端の拡大された斜視図である。
【図７】図７は、上方ハウジング半体が取り外されている、図２に示されるローディングユニットの近位端の側面斜視図である。図７は、駆動部材の作業端に隣接して取り付けアセンブリにおいて支持されているロックアウト機構のラッチ部材の側面斜視図である。
【図８】図８は、部品が分離されている、図２に示されるローディングユニットの識別アセンブリの側面斜視図である。
【図９】図９は、図８に示される識別アセンブリの側面斜視図である。
【図１０】図１０は、部品が分離されている、図８に示される識別アセンブリのコネクターアセンブリ、および図２に示されるローディングユニットの顎部材の近位端の斜視図である。
【図１１】図１１は、図１０に示されるコネクターアセンブリおよび顎部材の代替の斜視図である。
【図１２】図１２は、図３に示される、示された詳細領域の拡大された図である。
【図１３】図１３は、図２に示されるローディングユニットのカートリッジ本体に固定されている図８に示される識別アセンブリのチップアセンブリの側面斜視図である。
【図１４】図１４は、図２に示されるローディングユニットのカートリッジアセンブリの斜視端面図であり、図１３に示されるチップアセンブリを含む。
【図１５】図１５は、図２に示されるローディングユニットの中に装填されている図１４に示されるカートリッジアセンブリの側面斜視図である。
【図１６】図１６は、アンビルアセンブリが取り外されている、図２に示されるローディングユニットの上面斜視図である。
【図１７】図１７は、図１６に示される、示された詳細領域の拡大された図である。
【図１８】図１８は、部品が分離されている、図４に示される取り付けアセンブリおよび発射ロックアウトアセンブリの斜視図である。
【図１９】図１９は、図１８に示される発射ロックアウトアセンブリのラッチ部材の拡大された斜視図である。
【図２０】図２０は、図１８に示される発射ロックアウトアセンブリおよび取り付けアセンブリ、ならびに図２に示されるローディングユニットの駆動アセンブリの遠位端の底面斜視図である。
【図２１】図２１は、第１の構成または係止されていない構成にある、図２０に示される駆動アセンブリの遠位端および図１９に示されるラッチ部材の側面断面図である。
【図２２】図２２は、第２の構成または係止された構成にある、図２１に示される駆動アセンブリの遠位端およびラッチ部材の断面側面図である。
【図２３】図２３は、図２に示される線２３−２３に沿って得られる断面側面図である。
【図２４】図２４は、図２３に示される、示された詳細領域の拡大された図である。
【図２５】図２５は、図１８に示される発射ロックアウトアセンブリの側面斜視図である。
【図２６】図２６は、図２５に示される線２６−２６に沿って得られる断面側面図である。
【図２７】図２７は、アンビルプレートが取り外されている、図２に示されるローディングユニットのツールアセンブリの上面図である。
【図２８】図２８は、第１の関節運動された位置における図２７に示されるツールアセンブリの近位端の拡大された図である。
【図２９】図２９は、図２に示されるローディングユニットのカートリッジアセンブリ、および本開示に従うシッピングウェッジの側面斜視図である。
【図３０】図３０は、図２９に示されるシッピングウェッジの底面斜視図である。
【図３１】図３１は、可撓性ケーブルを含む、本開示の別の実施形態に従うローディングユニットの側面斜視図である。
【図３２】図３２は、図３１に示されるローディングユニットの可撓性ケーブルの概略図である。
【図３３】図３３は、本開示の別の実施形態に従う使い捨てローディングユニットの側面斜視図である。
【図３４】図３４は、部品が分離されている、図３３に示されるローディングユニットの側面斜視図である。
【図３５】図３５は、図３４に示される、示された詳細領域の側面斜視図であり、取り付けアセンブリおよび発射ロックアウトアセンブリを示している。
【図３６】図３６は、部品が分離されている、図３５に示される取り付けアセンブリおよび発射ロックアウトアセンブリの斜視底面図である。
【図３７】図３７は、図３５に示される発射ロックアウトアセンブリの側面斜視図である。
【図３８】図３８は、図３７に示される線３８−３８に沿って得られる側面断面図である。
【図３９】図３９は、図３４に示される、示された詳細領域の側面斜視図である。
【図４０】図４０は、図３３に示されるローディングユニットの近位端の拡大された斜視図である。
【図４１】図４１は、上方ハウジング半体が取り外されている、図４０に示されるローディングユニットの近位端の側面斜視図である。
【図４２】図４２は、部品が分離されている、図３３に示されるローディングユニットの識別アセンブリの側面斜視図である。
【図４３】図４３は、図４２に示される識別アセンブリの側面斜視図である。
【図４４】図４４は、部品が分離されている、図４２に示される識別アセンブリのコネクターアセンブリ、および図３３に示されるローディングユニットの顎部材の近位端の斜視図である。
【図４５】図４５は、図４４に示されるコネクターアセンブリおよび顎部材の代替の斜視図である。
【図４６】図４６は、図３４に示される、示された詳細領域の拡大された図である。
【図４７】図４７は、図３３に示されるローディングユニットのカートリッジ本体に固定され、ローディングユニットの支持プレート内に受け取られている図４２に示される識別アセンブリのチップアセンブリの側面斜視図である。
【図４８】図４８は、図４７に示される線４８−４８に沿って得られる断面端面図である。
【図４９】図４９は、図４７に示される線４９−４９に沿って得られる断面端面図である。
【図５０】図５０は、図４７に示されるチップアセンブリを含む、図３３に示されるローディングユニットのカートリッジアセンブリの斜視端面図である。
【図５１】図５１は、図５０に示される、示された詳細領域の拡大された図である。
【図５２】図５２は、図３３に示されるローディングユニットの可撓性ケーブルの斜視図である。
【図５３】図５３は、本開示の代替の実施形態に従う可撓性ケーブルの近位端の斜視図である。
【図５４】図５４は、図５３に示される可撓性ケーブルの遠位端の斜視図である。
【図５５】図５５は、図３５に示される取り付けアセンブリの斜視側面図である。
【図５６】図５６は、アンビルアセンブリが取り外されている、図３３に示されるローディングユニットのツールアセンブリの近位端の斜視側面図である。
【図５７】図５７は、カートリッジアセンブリの装填中の図３３に示されるローディングユニットのツールアセンブリの近位端の斜視側面図である。
【図５８】図５８は、第１の長さを有するカートリッジアセンブリのカートリッジ本体、および第２の長さの顎部材の斜視図である。
【図５９】図５９は、第２の長さを有するカートリッジアセンブリのカートリッジ本体、および第１の長さの顎部材の斜視図である。
【図６０】図６０は、図３３に示されるローディングユニットのカートリッジアセンブリ、および本開示の別の実施形態に従うシッピングウェッジの側面斜視図である。
【図６１】図６１は、図２９に示されるシッピングウェッジの底面斜視図である。
【発明を実施するための形態】
【００１８】
図面の詳細な説明
次に、本開示の外科手術装置の実施形態が、図面を参照して詳細に記載され、図面において、類似の参照数字は、数枚の図の各々における、同一の要素または対応する要素を表す。本明細書において、用語「近位」は、概して、臨床家により近い、装置の部分を指すために使用され、他方、用語「遠位」は、概して、臨床家からより遠い、装置の部分を指すために使用される。
【００１９】
外科手術装置のツールアセンブリが関節運動される場合、本体部分からツールアセンブリに延びている任意のケーブルは、ひずみ（すなわち、圧縮または引張）を経験する。ツールアセンブリの関節運動中、ケーブル（単数または複数）によって経験されるひずみは、ケーブルを損傷し得るか、またはケーブルが外れることをもたらし得る。本開示の実施形態は、ツールアセンブリの関節運動中、ケーブル（単数または複数）によって経験されるひずみを軽減するためのひずみリリーフを提供することに取り組んでいる。本開示の実施形態は、ツールアセンブリおよび外科手術装置内での電気的接続への損傷を防止することにさらに取り組んでいる。
【００２０】
図１は、本開示の外科手術装置の実施形態を例示しており、概して、外科手術ステープラー１０として示されている。外科手術ステープラーとして例示されているが、装置は、鉗子、レトラクター、クリップアプライヤーなどを含む他のタイプのエンドエフェクターを含み得る。外科手術ステープラー１０は、動力式ハンドルアセンブリ１２と、本体部分１４と、ローディングユニット１００とを含む。ハンドルアセンブリ１２および本体部分１４は、ローディングユニット１００の動作を達成するように構成されている。ハンドルアセンブリ１２および本体部分１４の構造および機能の詳細な説明について、共有に係る米国特許出願公開第２０１２／０２５３３２９号（「‘３２９公開」）（その内容は、本明細書中でその全体が参考として援用される）を参照されたい。ローディングユニット１００は、外科手術ステープラー１０の本体部分１４に選択的に固定されるものとして示され、記載されているが、ローディングユニット１００が本体部分１４の遠位端において直接支持され得ることが想定される。
【００２１】
図１および図２を参照すると、ローディングユニット１００は、近位本体部分１０２とツールアセンブリ１０４とを含む。取り付けアセンブリ１７０は、ツールアセンブリ１０４に固定されており、ローディングユニット１００の近位本体部分１０２に旋回可能に結合されて、ツールアセンブリ１０４を近位本体部分１０２に旋回可能に固定する。ローディングユニット１００は、発射ロックアウト機構が変更されていること、ならびに動力式ハンドルアセンブリと協働するための構成要素（すなわち、識別アセンブリおよび可撓性ケーブル）、およびシッピングウェッジが追加されていることを除いて、実質的に米国特許出願公開第２０１３／００９８９６５号（「‘９６５公開」）に記載される通りである。‘９６５公開は、本明細書によりその全体が本明細書中で参考として援用される。従って、‘９６５公開に開示されるものに共通しているローディングユニット１００の構成要素は、本明細書中で簡潔に記載されるのみである。対照的に、本明細書中に新たに示されている構成要素（接続アセンブリ１９０（図５〜図７）、識別アセンブリ２００（図８〜図１７）、発射ロックアウトアセンブリ２２０（図１９〜図２８）、シッピングウェッジ３００（図２９および図３０）、可撓性ケーブル「Ｒ２」（図３１および図３２）を含む）、およびそれらの動作方法は、本明細書中で詳細に記載される。
【００２２】
図３を参照すると、ローディングユニット１００の近位本体部分１０２は、上方ハウジング半体１１０ａと下方ハウジング半体１１０ｂとを含み、上方ハウジング半体１１０ａおよび下方ハウジング半体１１０ｂは、外側スリーブ１１２内に含まれる。上方ハウジング半体１１０ａは、第１の結合部材１１４ａの第１の端を受け取るための凹部１１１ａを規定し、下方ハウジング半体１１０ｂは、第２の結合部材１１４ｂの第１の端を受け取るための凹部１１１ｂを規定する。外側スリーブ１１２が上方ハウジング半体１１０ａおよび下方ハウジング半体１１０ｂの周りに位置決めされる場合、第１の結合部材１１４ａおよび第２の結合部材１１４ｂは、外側スリーブ１１２によって、それぞれの凹部１１１ａ、１１１ｂ内に保持される。
【００２３】
上方ハウジング半体１１０ａの近位端は、差込み型カップリング配置でステープル留め装置１０（図１）の本体部分１４（図１）の遠位端を解放可能に係合するための係合ナブ１１６を含む。上方ハウジング半体１１０ａおよび下方ハウジング半体１１０ｂは、さらに詳細に下に記載されるように、各々が、駆動アセンブリ１８０の駆動部材１８２をスライド可能に受け取るためのチャネル１１３ａ、１１３ｂをそれぞれ規定する。関節運動リンク１１８は、上方ハウジング半体１１０ａと下方ハウジング半体１１０ｂとの間にスライド可能に位置決めされ、近位本体部分１０２に対するツールアセンブリ１０４の関節運動を容易にするために、外科手術ステープラー１０（図１）の関節運動機構（示されない）を係合するように適合されている。１対のブローアウトプレートアセンブリ１２０ａ、１２０ｂは、上方ハウジング半体１１０ａおよび下方ハウジング半体１１０ｂの遠位端に隣接して位置決めされて、ツールアセンブリ１０４の関節運動中および発射中、駆動部材１８２の外方への座屈および／または張り出しを防止する。
【００２４】
チャネル１１７は、コンダクター（例えば、電気リボンまたはケーブル「Ｒ１」またはワイヤー）を受け取るために、上方ハウジング半体１１０ａの長さを延びている。さらに詳細に下に記載されるように、電気リボン「Ｒ１」は、ローディングユニット１００の近位本体部分１０２の近位端に配置されている接続アセンブリ１９０を、ローディングユニット１００のツールアセンブリ１０４内に配置されている識別アセンブリ２００（図８）と電気的に結合する。近位本体部分１０２の構成要素のより詳細な説明は、共有に係る米国特許第７，１４３，９２４号（「‘９２４特許」）に提供され、その内容は、本明細書により、本明細書中でその全体が参考として援用される。
【００２５】
図３を依然として参照すると、ツールアセンブリ１０４は、アンビルアセンブリ１３０と、交換可能なカートリッジアセンブリ１５０とを含み、アンビルアセンブリ１３０および交換可能なカートリッジアセンブリ１５０は、接近されていない位置と接近された位置との間で互いに対して移動可能である。アンビルアセンブリ１３０は、アンビル本体１３２とアンビルプレート１３４とを含み、このアンビルプレート１３４は、アンビル本体１３２の下側に固定されて、チャネル１３１（図２４）を規定する。アンビル本体１３２の近位端は、取り付けアセンブリ１７０の上方取り付け部分１７２の円筒形旋回部材１７２ａを受け取るための穴１３３を規定するブラケット１３２ａを含む。アンビルプレート１３４は、長手方向スロット１３５を規定し、この長手方向スロット１３５は、さらに詳細に下で議論されるように、駆動部材１８２の作業端１８４の一部分をスライド可能に受け取るような寸法にされている。アンビルプレート１３４の組織接触表面１３４ａは、複数のステープル受け取りくぼみ（示されない）を規定する。
【００２６】
カートリッジアセンブリ１５０は、支持プレート１５２と、カートリッジ本体１５４と、複数のステープル「Ｓ」と、ステープル発射アセンブリ１６０とを含み、このステープル発射アセンブリ１６０は、作動そり１６２を含み、さらに詳細に下に記載される。カートリッジアセンブリ１５０は、顎部材１５６の中に受け取り可能である。カートリッジ本体１５４および支持プレート１５２は、‘９６５公開（これは、本明細書中で参考として援用されている）に記載されるようなスナップばめ接続によって、顎部材１５６に取り付けられる。他の形態の接続が企図され、それは、スナップばめ接続の代わりに、またはスナップばめ接続の他に使用され得る。
【００２７】
顎部材１５６は、アンビル本体１３２に形成されている開口部１３９および顎部材１５６に形成されている開口部１５１を通して延びる旋回ピン１３８によって、アンビル本体１３２に旋回可能に固定される。カートリッジ本体１５４は、長手方向スロット１５３ａ、および複数の側方に間隔を置かれたステープル保持スロット１５３ｂを規定し、これらのステープル保持スロット１５３ｂは、アンビルプレート１３４の組織接触表面１３４ａにおけるステープル受け取りくぼみ（示されない）と整列して位置決めされる。作動そり１６２は、カートリッジ本体１５４を通って並進するように構成されている。カートリッジ本体１５４の長手方向スロット１５３ａは、作動そり１６２上に形成されている突起１６２ａを受け取って、カートリッジ本体１５４を通して作動そり１６２を導く。カートリッジ本体１５４は、長手方向スロット１５３ａ内に延びている移動止め１５４ａ（図１４）を含み、これは、作動そり１６２の突起１６２ａ上に形成されている凹部１６３ａ（図１４）の中に受け取られて、カートリッジアセンブリ１５０の輸送中、作動そり１６２を適所に固定する。各保持スロット１５３ｂは、ファスナーまたはステープル「Ｓ」、およびプッシャー１６４を受け取る。作動そり１６２は、カートリッジ本体１５４内に位置決めされて、カートリッジ本体１５４を長手方向に、プッシャー１６４との係合へ進み、ステープル「Ｓ」をカートリッジ本体１５４から連続して射出する。カートリッジ本体１５４は、１対の組織停止部材１５４ｂ（図１４）をさらに含み、これらは、組織（示されない）がステープル保持スロット１５３ｂの近位に位置決めされることを防止する。支持プレート１５２を含むカートリッジアセンブリ１５０のより詳細な議論について、本明細書中で参考として援用されている‘９６５公開を参照のこと。
【００２８】
図３および図４を参照すると、取り付けアセンブリ１７０は、上方取り付け部分１７２と、下方取り付け部分１７４と、保持刃１７６とを含む。示されるように、上方取り付け部分１７２および下方取り付け部分１７４は、上方取り付け部分１７２から延びているポスト１７８によって一緒に固定される。上方取り付け部分１７２および下方取り付け部分１７４の各々は、それぞれ旋回部材１７２ａ（図３）および１７４ａ（図４）を含む。上に記載されるように、上方取り付け部分１７２上の旋回部材１７２ａは、アンビル本体１３２のブラケット１３２ａの穴１３３（図３）内に受け取られて、上方取り付け部分１７２をアンビル本体１３２に固定する。近位本体部分１０２の第１の結合部材１１４ａ（図３）は、開口部１１５ａを規定する第２の端を有し、この開口部１１５ａも旋回部材１７２ａを受け取る。下方取り付け部分１７４上の旋回部材１７４ａは、近位本体部分１０２の第２の結合部材１１４ｂ（図３）の開口部１１５ｂの中に受け取られる。アンビル本体１３２を顎部材１５６に固定する旋回ピン１３８は、アンビル本体１３２に形成されている開口部１３９、および顎部材１５６に形成されている開口部１５１を通って延び、下方取り付け部分１７４に形成されている開口部１７３の中に受け取られて、下方取り付け部分１７４を顎部材１５６（図３）に固定する。下方取り付け部分１７４は、保持刃１７６を受け取るためのスロット１７７を規定する。さらに詳細に下に記載されるように、保持刃１７６は、湾曲した遠位方向に向いている表面１７６ａ（図４）と、１対の制限部材１７６ｂ（図４）とを含む。
【００２９】
駆動アセンブリ１８０は、本体を有する駆動部材１８２と、作業端１８４とを含む。作業端１８４は、上方フランジ１８６ａと、下方フランジ１８６ｂと、上方フランジ１８６ａと下方フランジ１８６ｂとを相互接続している垂直支柱１８６ｃと、垂直支柱１８６ｃ上に支持されているか、または垂直支柱１８６ｃの中に形成されているナイフ１８７とを含む。上方フランジ１８６ａは、アンビルアセンブリ１３０のチャネル１３１（図２４）内にスライド可能に受け取られるように位置決めされ、下方フランジ１８６ｂは、顎部材１５６の外側表面１５６ａ（図２４）に沿ってスライド可能に位置決めされるように位置決めされている。使用において、駆動部材１８２の遠位移動は、最初に上方フランジ１８６ａをアンビルプレート１３４上に形成されているカム表面１３４ｂへ前進させ、下方フランジ１８６ｂを顎部材１５６上に形成されているカム表面１５６ｂとの係合へ前進させて、接近された位置または閉鎖位置にカートリッジアセンブリ１５０をアンビルアセンブリ１３０に向かって旋回させる。駆動部材１８２の引き続きの前進は、作業端１８４がツールアセンブリ１０４を通って移動するに従って、駆動アセンブリ１８０の作業端１８４に隣接するアンビルアセンブリ１３０とカートリッジアセンブリ１５０との間に最小限の組織ギャップを漸次維持する。
【００３０】
駆動部材１８２の本体の遠位端は、駆動部材１８２の作業端１８４を支持し、停止表面１８４ａを規定する。作動そり１６２（図３）は、作業端１８４の遠位の位置において、カートリッジアセンブリ１５０（図３）内に配置される。作業端１８４がその最近位位置にあり、ツールアセンブリ１０４が開放位置または接近されていない位置（図２４）にある場合、そり１６２および作業端１８４は、それらの初期位置にある。そり１６２は、複数のカム表面１６６ａを含み、複数のカム表面１６６ａは、カートリッジ本体１５４のステープル保持スロット１５３ｂ内でプッシャー１６４を係合し、持ち上げるように位置決めされる。プッシャー１６４（図３）は、カートリッジアセンブリ１５０内に位置決めされて、そり１６２がツールアセンブリ１０４を通って前進される場合にステープル「Ｓ」をカートリッジ本体１５４から射出する。そり１６２の近位端は、さらに詳細に下に記載される開口部またはスロット１６３（図４）を規定する１つ以上のフィンガー１６６ａを含む。
【００３１】
特定の実施形態において、駆動部材１８２の本体は、材料（例えば、ステンレス鋼）の複数の積み重ねられたシート１８２ａ〜ｄから形成されている。係止部材１８８（図３）は、ローディングユニット１００がステープル留め装置１０（図１）に取り付けられるまで駆動部材１８２の軸方向移動を防止するために、ローディングユニット１００の近位端の周りに支持される。ローディングユニット１００の上記識別される構成要素のより詳細な議論は、‘９２４特許に記載され、これは、本明細書中でその全体が参考として援用されている。
【００３２】
図５〜図７を参照すると、接続アセンブリ１９０が、ローディングユニット１００の近位本体部分１０２の上方ハウジング半体１１０ａの近位端において支持され、これは、ローディングユニット１００と外科手術ステープラー１０（図１）との間に電気的接続を提供する。接続アセンブリ１９０は、コネクターハウジング１９２と、接触部材１９４と、電子チップ１９６とを含む。接触部材１９４は、コネクター１９２の凹部１９３内に受け取られる１対の接触部分１９４ａを含む。接触部分１９４ａは、外科手術ステープラー１０（図１）の細長い本体１４（図１）内に配置されている接触部材（示されない）の対応する接触部分（示されない）を係合するように位置決めされる。接触部材１９４は、接触部分１９４ａの間に延びているコネクター部分１９４ｂを含む。上に記載されるように、コンダクター（例えば、電気リボンまたはケーブル「Ｒ１」またはワイヤー）は、ローディングユニット１００の近位本体部分１０２を通ってツールアセンブリ１０４の中に延びて、接続アセンブリ１９０を識別アセンブリ２００（図８）と電気的に結合する。
【００３３】
外科手術ステープラー１０（図１）の細長い本体１４（図１）へのローディングユニット１００の取り付け中、接続アセンブリ１９０の接触部材１９４の接触部分１９４ａは、外科手術ステープラー１０（図１）の細長い本体１４（図１）の遠位端内に支持されているコネクターアセンブリ（示されない）の接触部分（示されない）を係合するように位置決めされる。外科手術ステープラー１０のコネクターアセンブリの接触部材との接続アセンブリ１９０の接触部材１９４ａの係合は、ローディングユニット１００の識別アセンブリ２００（図８）を外科手術ステープラー１０（図１）のハンドルアセンブリ１２（図１）と接続する。上で言及されるように、ローディングユニット１００は、差込みカップリングを用いて、または任意の他の適切な態様で細長い本体１４に取り付けられ得る。
【００３４】
次に図８〜図１７を参照すると、ローディングユニット１００の識別アセンブリ２００は、コネクターアセンブリ２０２とチップアセンブリ２１２とを含む。コネクターアセンブリ２０２は、コネクターハウジング２０４を含む。タブ２０６ａおよび突出部２０６ｂは、コネクターハウジング２０４から外方に延びている。タブ２０６ａは、ツールアセンブリ１０４の顎部材１５６における開口部１５７ａ（図１０）内に受け取られて、コネクターハウジング２０４を顎部材１５６と整列させ、突出部２０６ｂは、顎部材１５６における開口部１５７ｂ（図１０）内に受け取られて、コネクターアセンブリ２０２を顎部材１５６に固定する。コネクターハウジング２０４は、接続アセンブリ１９０（図６）から延びているコンダクター（例えば、電気リボン「Ｒ１」（図１１））の遠位端を受け取って、接続アセンブリ１９０の接触部材１９４（図７）を第１の接触部材２０６ａおよび第２の接触部材２０６ｂと電気的に通信させる。複数の実施形態において、電気リボン「Ｒ１」は、第１の接触部材２０６ａおよび第２の接触部材２０６ｂに半田付けされ、コネクターハウジング２０４は、電気リボン「Ｒ１」の遠位端、ならびに第１の接触部材２０６ａおよび第２の接触部材２０６ｂの周りに成形されて、電気リボン「Ｒ１」を第１の接触部材２０６ａおよび第２の接触部材２０６ｂと固定する。接触部材２０６ａ、２０６ｂは、コネクターハウジング２０４が顎部材１５６に固定されている場合、コネクターハウジング２０４から遠位方向に延びている。
【００３５】
チップアセンブリ２１２は、チップハウジング２１４と識別チップ２１８とを含む。突起２１４ａは、チップハウジング２１４から延び、カートリッジアセンブリ１５０のカートリッジ本体１５４（図１２）の近位端に形成されている凹部１５５（図１２）内に受け取られて、チップアセンブリ２１２をカートリッジ本体１５４に固定する。チップアセンブリ２１２は、第１の接触部材２１６ａと第２の接触部材２１６ｂとをさらに含み、第１の接触部材２１６ａおよび第２の接触部材２１６ｂは、チップハウジング２１４から延び、識別チップ２１８と通信している。
【００３６】
第１の接触部材２１６ａおよび第２の接触部材２１６ｂは、カートリッジ本体１５４が顎部材１５６内に受け取られている場合、コネクターアセンブリ２０２のそれぞれの第１の接触部材２０６ａおよび第２の接触部材２０６ｂを係合している（図１６）。複数の実施形態において、示されるように、コネクターアセンブリ２０２の第１の接触部材２０６ａおよび第２の接触部材２０６ｂ、ならびにチップアセンブリ２１２の第１の接触部材２１６ａおよび第２の接触部材２１６ｂは、それぞれコネクターハウジング２０４において、およびチップハウジング２１４において、第１の接触部材２０６ａと２１６ａとの間、第２の接触部材２０６ｂと２１６ｂとの間の係合を可能にするために、片持ち様式で支持されている。コネクターアセンブリ２０２の第１の接触部材２０６ａおよび第２の接触部材２０６ｂ、ならびにチップアセンブリ２１２の第１の接触部材２１６ａおよび第２の接触部材２１６ｂは、コネクターアセンブリ２０２とチップアセンブリ２１２との間の係合を容易にするために、実質的に球形の形状を含み得る。
【００３７】
識別チップ２１８は、カートリッジアセンブリ１５０の仕様（例えば、カートリッジサイズ、ステープル配置、ステープル長、締め付け距離、製造日、モデルナンバー、ロットナンバー、耐用年数など）を含む情報を記憶すること、および情報のうちの少なくともいくつかをハンドルアセンブリ１２（図１）に伝送することが可能な任意の市販のチップを含み得る。１つの実施形態において、識別チップ２１８は、消去可能なプログラム可能読み取り専用メモリー（「ＥＰＲＯＭ」）チップを含む。この態様において、取り付けられたカートリッジアセンブリ１５０の構成は、ハンドルアセンブリ１２に伝えられ得、その結果、例えば、ハンドルアセンブリ１２の発射力および／または発射行程の長さが、特定のカートリッジアセンブリ１５０に適応するように調整され得る。データが識別チップ２１８に書き込まれ得るように、ＥＰＲＯＭの代わりに識別チップ２１８が読み取り／書き込みメモリーチップ（例えば、読み取り／書き込みＲＡＭ）であり得ることがさらに想定される。例えば、使用情報は、空のローディングユニットもしくは部分的に発射されたローディングユニットの再使用を防止するために、または任意の他の目的のために、ローディングユニット１００が完全に、または部分的に発射されたことを識別する識別チップ２１８に書き込まれ得る。
【００３８】
図１６〜図１８を特に参照すると、カートリッジアセンブリ１５０がローディングユニットの顎部材１５６内に受け取られる場合、チップアセンブリ２１２の第１の接触部材２１６ａおよび第２の接触部材２１６ｂは、コネクターアセンブリ２０２の第１の接触部材２０６ａおよび第２の接触部材２０６ｂを係合する。チップアセンブリ２１２の第１の接触部材２１６ａおよび第２の接触部材２１６ｂがコネクターアセンブリ２０２のそれぞれの第１の接触部材２０６ａおよび第２の接触部材２０６ｂと係合されると、チップアセンブリ２１２の識別チップ２１８に記憶されている情報は、外科手術ステープラー１０の本体部分１４へのローディングユニット１００の接続の際にハンドルアセンブリ１２に伝えられ得る。上に記載されるように、識別アセンブリ２００は、ローディングユニット１００を通って延びているコンダクター（例えば、電気リボンまたはケーブル「Ｒ１」（図７および図１１））を介して、ローディングユニット１００の近位端内に配置されている接続アセンブリ１９０（図６）によって、外科手術ステープラー１０（図１）に接続される。
【００３９】
次に、発射ロックアウトアセンブリ２２０が、図１８〜図２８を参照して記載される。発射ロックアウトアセンブリ２２０は、２０１４年３月３１日に出願された米国特許出願第１４／２３０，５１６号（「‘５１６出願」）に記載される発射ロックアウトアセンブリと実質的に同様であり、これらの間の違いに関してのみが詳細に記載される。従って、‘５１６出願の内容は、その全体が本明細書中で参考として援用される。
【００４０】
発射ロックアウトアセンブリ２２０は、下方取り付け部分１７４の遠位端において旋回可能に支持されているラッチ部材２２２を含む。ラッチ部材２２２は、近位基部部材２２４と２つの間隔を置かれた遠位方向に延びているレッグ２２６とを有するＵ字形の本体（図１９）を含む。示されるように、基部部材２２４は、ブロッキング表面を規定するブロッキング部材２２４ａを備え、このブロッキング部材２２４ａは、基部部材２２４に溶接されるか、または固定されて、基部部材２２４にさらなる支持を提供する。あるいは、基部部材２２４およびブロッキング部材２２４ａは、一体的または一体式に形成されている。ラッチ部材２２２は、第１の位置（図２１）から第２の位置（図２２）に旋回可能である。図２１に示される第１の位置において、ラッチ部材２２２のブロッキング部材２２４ａは、駆動部材１８２の停止表面１８４ａと整列されて、ツールアセンブリ１０４内での駆動部材１８２の前進を防止する。図２２に示される第２の位置において、ブロッキング部材２２４ａは、駆動部材１８２の停止表面１８４ａと整列しないようにされて、ツールアセンブリ１０４内での駆動部材１８２の前進を可能にする。
【００４１】
図１８〜図２０を特に参照すると、ラッチ部材２２２のレッグ２２６の各々は、中央に位置している旋回部材２２８と、アバットメント表面２３０とを有する。旋回部材２２８は、取り付けアセンブリ１７０の下方取り付け部分１７４のフック形のアーム１７４ｂ（図２０）において支持されて、ラッチ部材２２２を下方取り付け部分１７４において旋回可能に支持する。付勢部材は、１対のばね２３２（図１８）を含み、１対のばね２３２は、下方取り付け部分１７４の遠位面に形成されているそれぞれのボア１７５ａ（図１８）内に支持されて、ラッチ部材２２２を第１の位置に向かって追い立てる。ばね２３２の各々は、ラッチ部材２２２のそれぞれのアバットメント表面２３０上に形成されているナブ２３０ａを係合して、図２４において見られるように、反時計回りの方向にラッチ部材２２２を付勢するように位置決めされている。レッグ２２６の各々の遠位端は、下向きに延びている突起２３４を含み、この下向きに延びている突起２３４は、そり１６２が後退された位置にあり、ラッチ部材２２２が第１の位置にあり、アンビルアセンブリ１３０およびカートリッジアセンブリ１５０が接近された位置にある場合、そり１６２において規定される開口部１６３（図２０）を通って延びるように位置決めされている。
【００４２】
１対のばね２３６は、ツールアセンブリ１０４を接近されていない位置（図２）へと追い立てるために、顎部材１５６の内側表面１５６ｂ（図１０）と、下方取り付け部分１７４の底部表面に規定されるそれぞれのボア１７５ｂ（図２０）との間に位置決めされる。顎部材１５６は、ばね２３６を係合するための１対のシリンダー１５８（図１０および図１１）を含む。
【００４３】
図２３および図２４を参照すると、駆動部材１８２が完全に後退された位置にあり、ツールアセンブリ１０４が接近されていない位置または開放位置にある場合、駆動部材１８２の作業端１８４の上方フランジ１８６ａおよび下方フランジ１８６ｂは、そり１６２の近位に間隔を置かれ、アンビルプレート１３４および顎部材１５６においてそれぞれ形成されているカム表面２３８ａ、２３８ｂの近位に間隔を置かれている。ツールアセンブリ１０４の接近されていない位置において、ラッチ部材２２２は、ばね２３２によって反時計回りの位置に向かって追い立てられる。下方取り付け部分１７４は、基部部材２２４またはブロッキング部材２２４ａを係合するように位置決めされている表面２４０を含む。ブロッキング部材２２４ａと下方取り付け部分１７４の表面２４０との間の係合は、ラッチ部材２２２のさらなる反時計回りの回転を防止して、ラッチ部材２２２を第１の位置に保持する。図２５に示されるように、ブロッキング部材２２４ａは、発射ロックアウトアセンブリ２２０が係止された構成にある場合、下方取り付け部分１７４のガセット１７４ｃを係合して、ラッチ部材２２２の遠位移動を防止する。
【００４４】
発射ロックアウトアセンブリ２２０の動作は、‘５１６出願に詳細に記載されている。手短に言えば、ローディングユニット１００の発射中、発射ロックアウトアセンブリ２２０のラッチ部材２２２は、下方取り付け部分１７４の旋回部材１７４ｂの周りで旋回される。上に記載されるように、保持刃１７６は、下方取り付け部分１７４におけるスロット１７７内に受け取られている。図２６に例示されるように、保持刃１７６の湾曲された表面１７６ａは、ローディングユニット１００の発射中、ラッチ部材２２２のブロッキング部材２２４ａの弓形の動きに適応して、ラッチ部材２２２の近位移動を防止する。ラッチ部材２２２の近位移動は、旋回部材２２８が下方取り付け部分１７４のフック形のアーム１７４ｂから分離することをもたらし得る。ローディングユニット１００の発射中の下方取り付け部分１７４からのラッチ部材２２２の分離は、ローディングユニット１００の不発をもたらし得、そして／または発射ロックアウトアセンブリ２２０が適切に機能することを妨げ得る。
【００４５】
ローディングユニット１００の発射前、ツールアセンブリ１０４は、近位本体部分１０２に対して関節運動され得る。ツールアセンブリ１０４の関節運動中、保持刃１７６の制限部材１７６ｂは、ローディングユニット１００の近位本体部分１０２から延びている第２の結合部材１１４ｂを係合して、近位本体部分１０２に対するツールアセンブリ１０４の関節運動を制限する。
【００４６】
図２９および図３０を参照すると、カートリッジアセンブリ１５０のシッピングウェッジ３００は、取り外し前、ステープル「Ｓ」（図３）をカートリッジ本体１５４のステープル保持スロット１５３ｂ内に維持し、ローディングユニット１００のツールアセンブリ１０４の作動を防止するように構成されている。シッピングウェッジ３００は、細長い本体３０２を含み、この細長い本体３０２は、細長い本体の底部表面に沿って細長い凹部３０３（図３０）を規定する。フランジ３０４は、細長い凹部３０３内から延びており、フランジ３０４をカートリッジ本体１５４（図２９）の細長いスロット１５３ａ（図１４）内に固定するための複数の突出部３０４を含む。細長い本体３０２の近位端は、高くなった部分３０６（図２９）を含み、この高くなった部分３０６（図２９）は、カートリッジアセンブリ１５０がツールアセンブリ１０４の顎部材１５６（図２）内に装填された時点で、およびシッピングウェッジ３００の取り外し前、アンビルアセンブリ１３０（図２）に向かってカートリッジアセンブリ１５０（図２）が接近することを防止するように構成されている。細長い本体３０２の遠位端は、カートリッジアセンブリ１５０からのシッピングウェッジ３００の分離を容易にするために、臨床家によって把持されるように位置決めされ、構成されている突起３０８を含む。複数のタブ３１０は、カートリッジアセンブリ１５０のカートリッジ本体１５４を係合してシッピングウェッジ３００をカートリッジアセンブリ１５０のカートリッジ本体１５４に解放可能に固定するために、細長い本体３０２から延びている。
【００４７】
いくつかの実施形態において、シッピングウェッジ３００の突起３０８は、使用後、カートリッジアセンブリ１５０を顎部材１５６から取り外すために使用され得る。カートリッジ本体１５４は、カートリッジアセンブリ１５０が顎部材１５６の中に配置されている場合、顎部材１５６に隣接している凹部（示されない）を規定し得る。シッピングウェッジ３００は、ユーザーによって把持され、突起３０８は、凹部の中に挿入される。次に、シッピングウェッジ３００は、（ねじること、旋回することなどによって）操作されてカートリッジアセンブリ１５０を飛び出させ得、その結果、カートリッジアセンブリ１５０は、取り外され得、場合により交換される。
【００４８】
次に図３１および図３２を参照すると、本開示の別の実施形態に従うローディングユニットが、概して、ローディングユニット４００として示されている。ローディングユニット４００は、上に記載されるローディングユニット１００と実質的に同様であり、これらの間の違いに関してのみが記載される。
【００４９】
ローディングユニット４００は、ローディングユニット４００の近位本体部分４０２の近位端に配置されている接続アセンブリ１９０をローディングユニット４００のツールアセンブリ４０４内に配置されている識別アセンブリ２００（図８）と電気的に結合するための電気コンダクター（すなわち、可撓性ケーブルまたは電気リボン「Ｒ２」）を含む。可撓性ケーブル「Ｒ２」は、ひずみリリーフ部分を含む。ひずみリリーフ部分は、ケーブルの波状の部分であり、ローディングユニットが関節運動すること、および依然としてケーブルを保持することを可能にする。ひずみリリーフ部分は、少なくとも１つの湾曲部を有し、複数のコイル「ｃ」を含み得る。示されるように、可撓性ケーブル「Ｒ２」は、高さが可撓性ケーブル「Ｒ２」の近位部分から可撓性ケーブル「Ｒ２」の遠位部分に減少している７つのコイル「ｃ」を含む。可撓性ケーブル「Ｒ２」が７つより多くのコイル「ｃ」、もしくは７つより少ないコイル「ｃ」を含み得ること、および／またはコイルの高さが、近位部分から遠位部分に増大し得ることが想定される。あるいは、コイル「ｃ」の高さは、均一であり得るか、または無作為な態様または均一な態様で変動し得る。コイル「ｃ」の間に均一な空間を有するように示されているが、コイル「ｃ」の間の空間は異なり得ることが想定される。
【００５０】
ひずみリリーフ部分は、初期構成に付勢され得る。例えば、ケーブルの材料および形状が、ケーブルを図３１および図３２に示されるコイル状の構成に付勢する。関節運動中、下に記載されるように、ひずみリリーフ部分の波状の形状は開放する。ツールアセンブリをよりまっすぐな構成、より関節運動されていない位置、または関節運動されていない位置に戻す際、波状の形状またはコイル状の形状は閉鎖し、結局は、関節運動されていない位置における初期構成に戻る。
【００５１】
ローディングユニット４００の近位本体部分４０２に対するローディングユニット４００のツールアセンブリ４０４の関節運動中、可撓性ケーブル「Ｒ２」は、ひずみを経験する。可撓性ケーブル「Ｒ２」によって経験されるひずみは、ツールアセンブリ４０４が近位本体部分４０２に対して関節運動するに従って変化する、接続アセンブリ１９０、近位本体部分４０２、およびツールアセンブリ４０４内に配置されている識別アセンブリ２００の間の距離の結果である。特に、接続アセンブリ１９０と識別アセンブリ２００との間の距離は、ツールアセンブリ４０４が図３１における矢印「Ｄ」によって示されるような第１の方向に関節運動するに従って増大し、接続アセンブリ１９０と識別アセンブリ２００との間の距離は、ツールアセンブリ４０４が図３１における矢印「Ｅ」によって示されるような第２の方向に関節運動するに従って減少する。
【００５２】
可撓性ケーブル「Ｒ２」のコイル「ｃ」は、可撓性ケーブル「Ｒ２」が、可撓性ケーブル「Ｒ２」におけるひずみに応答して変形することによって可変の長さを有することを可能にする。特に、図３２における矢印「Ａ」によって示されるように、引張が可撓性ケーブル「Ｒ２」の遠位端に適用される場合、図３２における矢印「ａ１」によって示されるような各コイル「ｃ」の屈曲、および／または図３２における矢印「ａ２」に示されるような互いに対するコイル「ｃ」の外方屈曲は、可撓性ケーブル「Ｒ２」が長くなることを可能にし、それにより可撓性ケーブル「Ｒ２」におけるひずみを軽減する。図３２における矢印「Ｂ」に示されるように、圧縮が可撓性ケーブル「Ｒ２」に適用される場合、矢印「ｂ１」によって示されるような各コイル「ｃ」の内方屈曲、および／または図３２における矢印「ｂ２」によって示されるような互いに対するコイル「Ｒ２」の内方屈曲は、可撓性ケーブル「Ｒ２」が短くなることを可能にし、それにより、可撓性ケーブル「Ｒ２」におけるひずみを軽減する。
【００５３】
ローディングユニット４００の近位本体部分４０２は、上方ハウジング半体４１０ａと下方ハウジング半体４１０ｂとを含む。チャネル４１７が、上方ハウジング半体４１０ａの長さを延びており、可撓性ケーブル「Ｒ２」を受け取っている。チャネル４１７は、可撓性ケーブル「Ｒ２」の近位部分および遠位部分を受け取るための近位部分３１７ａおよび遠位部分４１７ｂと、可撓性ケーブル「Ｒ２」のコイル「ｃ」を受け取り、可撓性ケーブル「Ｒ２」がひずみを経験している場合にコイル「ｃ」の屈曲を収容するための中央部分４１７ｃを含む。
【００５４】
可撓性ケーブル「Ｒ２」は、ローディングユニット４００の近位本体部分４０２の長さを延び、ローディングユニット４００のツールアセンブリ４０４の中に延びている。可撓性ケーブル「Ｒ２」は、ローディングユニット４００の近位本体部分３０２に対して配置されている接続アセンブリ１９０をローディングユニット４００のツールアセンブリ４０４内に配置されている識別アセンブリ２００（図８）と電気的に結合する。可撓性ケーブル「Ｒ２」は、チャネル４１７内にゆるく受け取られて、可撓性ケーブル「Ｒ２」の長手方向移動を可能にし得る。１つの実施形態において、可撓性ケーブル「Ｒ２」の近位端は、例えば、接着剤、オーバーモールドを用いて、チャネル４１７の近位部分４１７ａ内に軸方向に固定されている。
【００５５】
上に記載されるように、可撓性ケーブル「Ｒ２」は、ローディングユニット４００の本体部分４０２の近位端とローディングユニット４００のツールアセンブリ４０４との間に延びている。ローディングユニット４００の近位本体部分４０２に対するローディングユニット４００のツールアセンブリ４０４の関節運動中、ひずみ（すなわち、引張または圧縮）が、可撓性ケーブル「Ｒ２」によって経験される。特に、図３１における矢印「Ｄ」によって示されるような第１の方向にツールアセンブリ４０４を近位本体部分４０２に対して関節運動させることは、図３２における矢印「Ａ」によって示されるように、可撓性ケーブル「Ｒ２」の遠位端において、引っ張り力を作り出し、図３１における矢印「Ｅ」によって示されるような第２の方向にツールアセンブリ４０４を近位本体部分４０２に対して関節運動させることは、図３２における矢印「Ｂ」によって示されるように、可撓性ケーブル「Ｒ２」の遠位端において、押し込み力を作り出す。ツールアセンブリ４０４の関節運動中、可撓性ケーブル「Ｒ２」によって経験されるひずみに対応し、それにより、可撓性ケーブル「Ｒ２」の破壊および／または座屈を防止するために、上に記載されるように、可撓性ケーブル「Ｒ２」のコイル「ｃ」は、個々に、および互いに対して屈曲するように構成されている。コイル「ｃ」が外方に屈曲する場合、可撓性ケーブル「Ｒ２」は伸長し、コイル「ｃ」が内方に屈曲する場合、可撓性ケーブル「Ｒ２」は圧縮する。関節運動されていない位置へのツールアセンブリ４０４の戻りは、可撓性ケーブル「Ｒ２」のコイル「ｃ」がひずんでいない構成に戻ることをもたらす。
【００５６】
可撓性ケーブル「Ｒ２」は、ローディングユニット４００の中に組み込まれているものとして示され、記載されているが、可撓性ケーブル「Ｒ２」は、任意のデバイスであって、関節運動ツールアセンブリを有し、かつハンドルアセンブリに対する関節運動ツールアセンブリの電気的結合を必要とする、任意のデバイスの中に組み込まれ得ることが想定される。
【００５７】
次に図３３〜図６１を参照すると、本開示の別の実施形態に従うローディングユニットが、概して、ローディングユニット５００として示されている。ローディングユニット５００は、上に記載されるローディングユニット１００と実質的に同様であり、これらの間の違いに関してのみが詳細に記載される。
【００５８】
図３４を参照すると、ローディングユニット５００の近位本体部分５０２は、上方ハウジング半体５１０ａと下方ハウジング半体５１０ｂとを含み、上方ハウジング半体５１０ａおよび下方ハウジング半体５１０ｂは、外側スリーブ５１２内に含まれる。チャネル５１７は、コンダクター（例えば、可撓性ケーブル「Ｒ３」）を受け取るために、上方ハウジング半体５１０ａの長さを延びている。さらに詳細に下に記載されるように、可撓性ケーブル「Ｒ３」は、ローディングユニット５００の近位本体部分５０２の近位端に配置されている接続アセンブリ５９０を、ローディングユニット５００のツールアセンブリ５０４内に配置されている識別アセンブリ６００（図４３）およびカートリッジアセンブリ５５０と電気的に結合する。
【００５９】
依然として図３４を参照すると、ツールアセンブリ５０４は、アンビルアセンブリ５３０と、カートリッジアセンブリ５５０と、顎部材５５６とを含む。アンビルアセンブリ５３０は、アンビル本体５３２とアンビルプレート５３４とを含む。カートリッジアセンブリ５５０は、顎部材５５６内に受け取られ、支持プレート５５２と、カートリッジ本体５５４と、複数のステープル「Ｓ」と、ステープル発射アセンブリ５６０とを含み、このステープル発射アセンブリ５６０は、カートリッジ本体５５４を通って並進するように構成されている作動そり５６２を含む。作動そり５６２は、作動そり５６２の構造上の完全性を増大するための複数の凹部５６１（図３６）を規定する。作動そり５６２における凹部５６１はまた、作動そり５６２を形成するために必要とされる材料の量を低減する。
【００６０】
図３５も参照すると、ローディングユニット５００の取り付けアセンブリ５７０および発射ロックアウトアセンブリ６２０は、上に記載される取り付けアセンブリ１７０および発射ロックアウトアセンブリ２２０と実質的に同様である。手短に言えば、取り付けアセンブリ５７０は、上方取り付け部分５７２と、下方取り付け部分５７４と、近位位置において下方取り付け部分５７４に溶接されている保持刃５７６とを含む。発射ロックアウトアセンブリ６２０は、ラッチ部材６２２を含み、このラッチ部材６２２は、ラッチ部材６２２を下方取り付け部分５７４のフック形のアーム５７４ａ（図３７）において旋回可能に支持する旋回部材６２８と、保持刃５７６の湾曲した表面５７６ａに対して移動する近位基部部材６２４とを有する。
【００６１】
図３６〜図３８も参照すると、ラッチ部材６２２が下方取り付け部分５７４のフック形のアーム５７４ａから係合解除することを防止するために、下方取り付け部分５７４のフック形のアーム５７４ａは、ラッチ部材６２２の近位基部部材６２４と保持刃５７６の湾曲した表面５７６ａとの間の距離「Ｂ」（図３８）よりも長い長さ「Ａ」（図３８）を含む。この態様において、ラッチ部材６２２は、下方取り付け部分５７４のフック形のアーム５７４ａから分離するために十分な距離を近位方向に移動することを防止される。
【００６２】
図３５を特に参照すると、板ばね６３６は、取り付けアセンブリ５７０の下方取り付け部分５７４に固定され、板ばね６３６は、顎部材５５６を係合して、ツールアセンブリ５０４を接近されていない位置または開放位置（図３３）へと追い立てるように構成されている。板ばね６３６は、下方取り付け部分５７４に溶接され得るか、接着され得るか、または他の方法で固定され得る。
【００６３】
図３９〜図４１を参照すると、接続アセンブリ５９０は、ローディングユニット５００の近位本体部分５０２の上方ハウジング半体５１０ａの近位端において支持され、ローディングユニット５００と外科手術ステープラー１０（図１）との間に電気的接続を提供する。接続アセンブリ５９０は、コネクターハウジング５９２と、第１の接触部材５９４ａと、第２の接触部材５９４ｂと、コネクター部材５９６とを含む。コネクター部材５９６は、可撓性ケーブル「Ｒ３」（図３４）の近位端と一体的に形成され得るか、または他の方法で可撓性ケーブル「Ｒ３」（図３４）の近位端に電気的に接続され得る。
【００６４】
コネクター部材５９６は、第１のパッド５９６ａおよび第２のパッド５９６ｂを、それぞれ第１の接触部材５９４ａおよび第２の接触部材５９４ｂとの接続のために含む。１つの実施形態において、第１のパッド５９６ａおよび第２のパッド５９６ｂは、銅から形成され、第１の接触部材５９４ａおよび第２の接触部材５９４ｂは、それぞれ第１のパッド５９６ａおよび第２のパッド５９６ｂに半田付けされている。コネクター５９６は、ローディングユニット５００が外科手術ステープラー１０に固定されている場合、ローディングユニット５００の構成および／または状態に関する情報を外科手術ステープラー１０に提供するための電子チップ５９７（図３９）（すなわち、ＥＰＲＯＭチップ）をさらに含み得る。
【００６５】
第１の接触部材５９４ａ、および第２の接触部材５９４ｂ、およびコネクター部材５９６は、接着剤、摩擦ばめを用いて、または任意の他の適切な態様でコネクターハウジング５９２に固定される。１つの実施形態において、示されるように、第１の接触部材５９４ａ、および第２の接触部材５９４ｂ、およびコネクター部材５９６は、オーバーモールド５９８によってコネクターハウジング５９２に固定される。オーバーモールド５９８はまた、電子チップ５９７を保護し得る。オーバーモールド５９８は、例えば、サントプレーン（ｓａｎｔｏｐｒｅｎｅ）または他の適切なプラスチックから形成され得る。第１の接触部材５９４ａおよび第２の接触部材５９４ｂは、外科手術ステープラー１０（図１）の細長い本体１４（図１）内に配置されている接触部材（示されない）の対応する接触部分（示されない）を係合するように位置決めされる。
【００６６】
次に図４２〜図５１を参照すると、ローディングユニット５００の識別アセンブリ６００は、上に記載されるローディングユニット１００の識別アセンブリ２００と実質的に同様であり、これらの間の違いに関してのみが詳細に記載される。識別アセンブリ６００は、コネクターアセンブリ６０２とチップアセンブリ６１２とを含む。
【００６７】
特に図４２〜図４５を参照すると、コネクターアセンブリ６０２は、コネクターハウジング６０４と、コネクターハウジング６０４の第１の側面から延びている突出部６０６ａと、コネクターハウジング６０４の対向する側面から延びている整列特徴６０６ｂとを含む。突出部６０６ａは、顎部材５５６におけるスロット５５７（図４４）内に受け取られて、コネクターアセンブリ６０２を顎部材５５６に固定する。突出部６０６ａは、スロット５５７内において顎部材５５６に熱かしめされ得るか、接着され得るか、または他の方法で固定され得る。整列特徴６０６ｂは、カートリッジアセンブリ５５０（図４７）が顎部材５５６内に受け取られる場合に、例えば、そり５６２（図３６）が遠位位置にあるときなど、カートリッジ本体５５４が狭まっている事象において、コネクターアセンブリ６０２をチップアセンブリ６１２との係合へ導くように働く。
【００６８】
コネクターハウジング６０４は、そこから遠位方向に延びている第１の接触部材６０８ａと第２の接触部材６０８ｂとをさらに含む。コネクターハウジング６０４は、接続アセンブリ５９０（図３８）から延びている可撓性ケーブル「Ｒ３」（図３４）の遠位端を受け取って、接続アセンブリ５９０（図４０）の第１の接触部材５９４ａおよび第２の接触部材５９４ｂをコネクターアセンブリ６０２のそれぞれの第１の接触部材６０８ａおよび第２の接触部材６０８ｂと電気的に通信させる。複数の実施形態において、コネクターハウジング６０４は、可撓性ケーブル「Ｒ３」の遠位端の周りに成形されて、可撓性ケーブル「Ｒ３」を第１の接触部材６０８ａおよび第２の接触部材６０８ｂと固定させる。コネクターハウジング６０４は、チップアセンブリ６１２とのコネクターアセンブリ６０２の整列を容易にするために、第１の接触部材６０８ａと第２の接触部材６０８ｂとの間に切欠き６０５（図４４）を規定する。
【００６９】
図４６および図４７を特に参照すると、チップアセンブリ６１２は、チップハウジング６１４と、オーバーモールド６１８ａによって保護されている識別チップ６１８（図４８）とを含む。１つの実施形態において、オーバーモールド６１８ａは、Ｓａｎｔｏｐｒｅｎｅ（登録商標）から形成されている。第１の突起６１４ａは、チップハウジング６１４から近位方向に延びており、コネクターアセンブリ６０２のコネクターハウジング６０４との整列を容易にする。より詳しくは、第１の突起６１４ａは、第１の接触部材６０８ａと第２の接触部材６０８ｂとの間でコネクターハウジング６０４に形成されている切欠き６０５（図４４）内に受け取られるように構成されている。第２の突起６１４ｂは、チップハウジング６１４から遠位方向に延びており、カートリッジアセンブリ５５０のカートリッジ本体５５４（図４６）の近位端に形成されている凹部５５５（図４６）内に受け取られて、チップアセンブリ６１２をカートリッジ本体５５４に取り付ける。第３の突起６１４ｃは、垂直方向に延びており、チップアセンブリがカートリッジ本体５５４に固定され、カートリッジ本体５５４が支持プレート５５２内に固定されると、支持プレート５５２のレール５５２ａを係合して、チップアセンブリ６１２の垂直移動を防止する。
【００７０】
図４９に示されるように、カートリッジ本体５５４における凹部５５５、およびチップアセンブリ６１２の第２の突起６１４ｂは、チップアセンブリ６１２に側方支持を提供する段を付けられた構成を含む。チップハウジング６１４の第２の突起６１４ｂは、支持プレート５５２のタブ５５２ｂ（図４６）を受け取るための切欠き６１５ａを規定する。チップアセンブリ６１２の切欠き６１５ａ内への支持プレート５５６のタブ５５２ａの受け取りは、支持プレート５５２およびカートリッジ本体５５４に対するチップアセンブリ６１２の近位移動を防止する。
【００７１】
次に図５０および図５１を特に参照すると、チップハウジング６１４は、カートリッジ本体５５４の近位端に形成されている突出部５５４ａを受け取るための切欠き６１５ｂを規定する。チップアセンブリ６１２の切欠き６１５ｂ内へのカートリッジ本体５５４の突出部５５４ａの受け取りは、第２の突起６１４ｂがカートリッジ本体５５４の凹部５５５内に受け取られる場合、チップアセンブリ６１２をカートリッジ本体５５４に固定する。チップアセンブリ６１２は、コネクターアセンブリとの電気的接続および機械的接続を形成する。
【００７２】
チップアセンブリ６１２は、第１の接触部分６１８ａと第２の接触部分６１８ｂとをさらに含み、第１の接触部分６１８ａおよび第２の接触部分６１８ｂは、識別チップ６１８（図４８）に電気的に接続されている。１つの実施形態において、第１の接触部分６１８ａおよび第２の接触部分６１８ｂは、識別チップ６１８に半田付けされ、チップハウジング６１４は、第１の接触部分６１８ａおよび第２の接触部分６１８ｂを取り囲んでいるオーバーモールドを形成している。オーバーモールドは、例えば、Ｖｅｃｔｒａ（登録商標）、または他の適切な材料から形成され得る。
【００７３】
第１の接触部分６１６ａおよび第２の接触部分６１６ｂは、カートリッジ本体５５４がローディングユニット５００の顎部材５５６（図４５）内に受け取られる場合、コネクターアセンブリ６０２のそれぞれの第１の接触部材６０８ａおよび第２の接触部材６０８ｂを係合する。複数の実施形態において、示されるように、コネクターアセンブリ６０２の第１の接触部材６０８ａおよび第２の接触部材６０８ｂは、第１の接触部材６０８ａと第１の接触部分６１６ａとの間、および第２の接触部材６０８ｂと第２の接触部分６１６ｂとの間の電気的接触を確実にするために、片持ち様式でコネクターハウジング６０４において支持されている。
【００７４】
図５２に手短に目を向けると、可撓性ケーブル「Ｒ３」は、上に記載される可撓性ケーブル「Ｒ２」と実質的に同様である。上で言及されるように、接続アセンブリ５９０のコネクター部材５９６は、可撓性ケーブル「Ｒ３」の近位端と一体的に形成され得るか、または他の方法で可撓性ケーブル「Ｒ３」の近位端に電気的に結合され得る。可撓性ケーブル「Ｒ３」の遠位端は、識別アセンブリ６００のコネクターアセンブリ６０２のコネクターハウジング６０４との電気的接続のために構成されている。第１の接触部材６０８ａおよび第２の接触部材６０８ｂは、可撓性ケーブル「Ｒ３」の遠位端と半田付けされ得るか、または他の方法で可撓性ケーブル「Ｒ３」の遠位端に電気的に接続され得、上で言及されるように、コネクターハウジング６０４は、可撓性ケーブル「Ｒ３」の遠位端にオーバーモールドされて、可撓性ケーブル「Ｒ３」と第１の接触部材６０８ａおよび第２の接触部材６０８ｂとの間の接続を確実にし得る。
【００７５】
可撓性ケーブル「Ｒ３」は、複数のコイル「ｃ」と、可撓性ケーブル「Ｒ３」の近位部分に沿った接着剤バッキング「ｈ」と、可撓性ケーブル「Ｒ３」の遠位部分に沿ったスチフナー部分「ｓｔ」とを含む。接着剤バッキング「ｈ」は、ＰＳＡ接着剤、または他の適切な材料から形成され得、可撓性ケーブル「Ｒ３」をローディングユニット５００の近位本体部分５０２の上方ハウジング半体５１０ａ（図３４）に接着するように動作する。スチフナー部分「ｓｔ」は、ケーブル「Ｒ３」と一体的に形成され得るか、またはケーブル「Ｒ３」に固定して付着され得る。スチフナー部分「ｓｔ」は、ツールアセンブリ５０４の関節運動中、ケーブル「Ｒ３」のスライドを容易にする。スチフナー部分「ｓｔ」はまた、ケーブル「Ｒ３」が他の方法で支持されていない場合のケーブル「Ｒ３」の座屈を防止することを助ける。スチフナー部分「ｓｔ」は、例えば、ポリイミド材料から形成され得、ケーブルのまっすぐな部分に取り付けられ得る。
【００７６】
図５３および図５４に目を向けると、本開示に従うコンダクター（例えば、可撓性ケーブルまたは電気リボン）の代替の実施形態が、概して、可撓性ケーブル「Ｒ４」として示されている。複数の実施形態において、可撓性ケーブル「Ｒ４」は、上に開示される電気リボン「Ｒ１」、ならびに可撓性ケーブル「Ｒ２」および「Ｒ３」の各々と実質的に同様であり、これらの間の違いに関してのみが詳細に記載される。
【００７７】
最初に図５３を参照すると、可撓性ケーブル「Ｒ４」の近位端は、接続アセンブリ（示されない）の第１のポスト（示されない）および第２のポスト（示されない）を受け取るための第１の開口部「Ｏ１」および第２の開口部「Ｏ２」を規定する。可撓性ケーブル「Ｒ４」の第１の開口部「Ｏ１」および第２の開口部「Ｏ２」内への第１のポストおよび第２のポストの受け取りは、可撓性ケーブル「Ｒ４」を接続アセンブリと電気的に結合する。
【００７８】
次に図５５に目を向けると、可撓性ケーブル「Ｒ４」の遠位端は、コネクターアセンブリ６０２’のコネクターハウジング６０４’の近位スロット６０３’内に受け取られ、コネクターハウジング６０４’内で熱かしめされる。第１の接触部材６０８ａ’は、コネクターハウジング６０４’の第１の遠位スロット６０３ａ’内にプレスばめされ、第２の接触部材６０８ｂ’は、コネクターハウジング６０４’の第２の遠位スロット６０３ｂ’内にプレスばめされて、第１の接触部材６０８ａ’および第２の接触部材６０８ｂ’を可撓性ケーブル「Ｒ４」の遠位端と電気的に結合する。可撓性ケーブル「Ｒ４」の遠位部分は、コネクターハウジング６０４’に対して可撓性ケーブル「Ｒ４」を拘束し、支持するためのカラー「Ｃ」を含む。
【００７９】
図５５および図５６を参照すると、上で言及されるように、ローディングユニット５００の取り付けアセンブリ５７０の板ばね６３６は、例えば、接着剤、溶接、または機械的ファスナーを用いて、取り付けアセンブリ５７０の下方取り付け部分５７４に固定されている。板ばね６３６は、ツールアセンブリ５０４の顎部材５５６を係合して、ツールアセンブリ５０４を接近されていない位置（図３３）へと追い立てる。
【００８０】
図５７を参照すると、ツールアセンブリ５０４の顎部材５５６は、その近位端に沿ってレール部材５５６ａを含む。レール部材５５６ａは、カートリッジアセンブリ５５０がツールアセンブリ５０４の顎部材５５６内に受け取られる場合、カートリッジアセンブリ５５０のカートリッジ本体５５４の近位部分を係合して、カートリッジアセンブリ５５０が顎部材５５６の中に装填され得る角度を制限する。示されるように、カートリッジ本体５５４は、顎部材５５６のレール部材５５６ａを係合するための近位延長部５５４ｂを含む。カートリッジアセンブリ５５０が顎部材５５６の中に装填され得る角度を限定することは、カートリッジアセンブリ５５０における識別アセンブリ６００（図５６）のチップアセンブリ６１２（図５６）と顎部材５５６における識別アセンブリ６００のコネクターアセンブリ６０２との間の適切な係合を容易にする。顎部材５５６は、顎部材５５６内へのカートリッジアセンブリ５５０の過度の挿入を防止するための停止特徴５５６ｂ（図４４）をさらに含む。
【００８１】
図５６を引き続き参照すると、カートリッジ本体５５４は、組織停止部５５４ｃを含み、この組織停止部５５４ｃは、組織（示されない）がステープル保持スロット５５３ｂの近位に位置決めされることを防止する。顎部材５５６に形成されている切欠き５５７ａ内への組織停止部５５４ｃの受け取りは、カートリッジアセンブリ５５０が完全に挿入され、かつ顎部材５５６内に適切に設置されているというしるしを提供する。
【００８２】
次に図５８および図５９を参照すると、本開示のローディングユニットは、異なるサイズのステープルカートリッジを備え得る。例えば、第１のカートリッジアセンブリ５５０’（図５９）は、長さにおいて４５ミリメートル（４５ｍｍ）であり、第２のカートリッジアセンブリ５５０’’（図５９）は、長さにおいて６０ミリメートル（６０ｍｍ）である。第２のカートリッジアセンブリ５５０’’を受け取るように構成されている第２の顎部材５５６’’（図５９）の中への第１のカートリッジアセンブリ５５０’の受け取り、または第１のカートリッジアセンブリ５５０’を受け取るように構成されている第１の顎部材５５６’（図５８）の中への第２のカートリッジアセンブリ５５０’’の受け取りは、ローディングユニットの機能不全（例えば、不発）をもたらし得る。
【００８３】
第２の顎部材５５６’’の中への第１のカートリッジアセンブリ５５０’の装填を防止するために、第１のカートリッジアセンブリ５５０’のカートリッジ本体５５４’は、対向しているタブ５５４ａ’を含み、これらは、第２の顎部材５５６’’における対向している切り抜き５５５’’よりも大きい。第１のカートリッジアセンブリ５５０’が第２の顎部材５５６’’の中に不注意に装填される事象において、第１のカートリッジアセンブリ５５０’のカートリッジ本体５５４’の対向しているタブ５５４ａ’は、第１のカートリッジアセンブリ５５０’が第２の顎部材５５６’’の中に適切に設置されることを防止する。同様に、第２のカートリッジアセンブリ５５０’’のカートリッジ本体５５４’’は、対向しているタブ５５４ａ’’を含み、第１の顎部材５５６’は、対向しているタブ５５４’’を受け取るための対向している切り抜きがない。従って、第２のカートリッジアセンブリ５５０’が第１の顎部材５５６’の中に不注意に装填される事象において、カートリッジ本体５５４’’の対向しているタブ５５４ａ’’は、第２のカートリッジアセンブリ５５０’’が第１の顎部材５５６’の中に適切に設置されることを防止する。
【００８４】
図６０および図６１を参照すると、本開示の実施形態に従うシッピングウェッジが、概してシッピングウェッジ７００として示されている。シッピングウェッジ７００は、上に記載されるシッピングウェッジ３００と実質的に同様である。シッピングウェッジ７００は、カートリッジアセンブリ５５０を選択的に係合するように構成されている。
【００８５】
本明細書中に特に記載され、添付の図面に例示されるデバイスおよび方法が、非限定的な例示的実施形態であることを当業者は理解する。１つの例示的実施形態に関して例示されるか、または記載される要素および特徴が、本開示の範囲から外れることなく、別の例示的実施形態の要素および特徴と組み合わせられ得ることが想定される。また、上に記載される実施形態に基づいて、本開示のさらなる特徴および利点を当業者は認識する。従って、本開示は、添付の特許請求の範囲によって示される場合を除いて、特に示され、記載されたことによって限定されるべきではない。
【図１】
2020124524.tif 000003
【図２】
2020124524.tif 000004
【図３】
2020124524.tif 000005
【図４】
2020124524.tif 000006
【図５】
2020124524.tif 000007
【図６】
2020124524.tif 000008
【図７】
2020124524.tif 000009
【図８】
2020124524.tif 000010
【図９】
2020124524.tif 000011
【図１０】
2020124524.tif 000012
【図１１】
2020124524.tif 000013
【図１２】
2020124524.tif 000014
【図１３】
2020124524.tif 000015
【図１４】
2020124524.tif 000016
【図１５】
2020124524.tif 000017
【図１６】
2020124524.tif 000018
【図１７】
2020124524.tif 000019
【図１８】
2020124524.tif 000020
【図１９】
2020124524.tif 000021
【図２０】
2020124524.tif 000022
【図２１】
2020124524.tif 000023
【図２２】
2020124524.tif 000024
【図２３】
2020124524.tif 000025
【図２４】
2020124524.tif 000026
【図２５】
2020124524.tif 000027
【図２６】
2020124524.tif 000028
【図２７】
2020124524.tif 000029
【図２８】
2020124524.tif 000030
【図２９】
2020124524.tif 000031
【図３０】
2020124524.tif 000032
【図３１】
2020124524.tif 000033
【図３２】
2020124524.tif 000034
【図３３】
2020124524.tif 000035
【図３４】
2020124524.tif 000036
【図３５】
2020124524.tif 000037
【図３６】
2020124524.tif 000038
【図３７】
2020124524.tif 000039
【図３８】
2020124524.tif 000040
【図３９】
2020124524.tif 000041
【図４０】
2020124524.tif 000042
【図４１】
2020124524.tif 000043
【図４２】
2020124524.tif 000044
【図４３】
2020124524.tif 000045
【図４４】
2020124524.tif 000046
【図４５】
2020124524.tif 000047
【図４６】
2020124524.tif 000048
【図４７】
2020124524.tif 000049
【図４８】
2020124524.tif 000050
【図４９】
2020124524.tif 000051
【図５０】
2020124524.tif 000052
【図５１】
2020124524.tif 000053
【図５２】
2020124524.tif 000054
【図５３】
2020124524.tif 000055
【図５４】
2020124524.tif 000056
【図５５】
2020124524.tif 000057
【図５６】
2020124524.tif 000058
【図５７】
2020124524.tif 000059
【図５８】
2020124524.tif 000060
【図５９】
2020124524.tif 000061
【図６０】
2020124524.tif 000062
【図６１】
2020124524.tif 000063